(57)【要約】【課題】  ＡＴＰＣ制御方式の無線通信システムにおいても、無線伝搬特性の正しい測定を可能とした無線伝搬特性測定方式を提供する。【解決手段】  送信側において、送信出力レベル情報にその送信時刻情報を付加して受信側へ送信する。受信側において、ＲＬＳ検出部７でＲＳＬを検出すると共にその検出時刻情報を時刻情報付加部８で検出して無線伝搬特性測定部１０へ供給する。また、送信出力レベル情報分離部９で送信出力レベル情報と送信時刻情報とを検出し無線伝搬特性測定部１０へ供給する。無線伝搬特性測定部１０で、検出時刻情報及び送信時刻情報に基づいてＲＳＬに対応した送信出力レベル情報を選択して無線伝搬特性測定をなす。【選択図】      図１
2006245835.tif 000002
【特許請求の範囲】
【請求項１】
受信側の受信入力レベル情報に応じて送信側の送信出力レベルを制御するようにした無線通信システムにおける無線伝搬特性測定システムであって、
送信側において、送信出力レベル情報にその送信時刻情報を付加して受信側へ送信する手段と、
受信側において、受信入力レベルを検出すると共にその検出時刻情報をも検出する手段と、前記送信出力レベル情報と前記送信時刻情報とを検出する手段と、前記検出時刻情報及び送信時刻情報に基づいて前記受信入力レベルに対応した前記送信出力レベル情報を選択して、無線伝搬特性測定をなす手段と、
を含むことを特徴とする無線伝搬特性測定システム。
【請求項２】
前記無線伝搬特性測定をなす手段は、前記送信出力レベルにそれぞれ対応した補正値が予め格納されたテーブルを有し、選択された前記送信出力レベルに対応した前記補正値を用いて無線伝搬特性測定をなすことを特徴とする請求項１記載の無線伝搬特性測定システム。
【請求項３】
請求項１または２記載の無線伝搬特性測定システムを用いたことを特徴とする無線通信システム。
【請求項４】
受信側の受信入力レベル情報に応じて送信側の送信出力レベルを制御するようにした無線通信システムにおける無線伝搬特性測定方法であって、
送信側において、送信出力レベル情報にその送信時刻情報を付加して受信側へ送信するステップと、
受信側において、受信入力レベルを検出すると共にその検出時刻情報をも検出するステップと、前記送信出力レベル情報と前記送信時刻情報とを検出するステップと、前記検出時刻情報及び送信時刻情報に基づいて前記受信入力レベルに対応した前記送信出力レベル情報を選択して、無線伝搬特性測定をなすステップと、
を含むことを特徴とする無線伝搬特性測定方法。
【請求項５】
前記送信出力レベルにそれぞれ対応した補正値が予め格納されたテーブルを予め準備しておき、前記無線伝搬特性測定をなすステップは、前記テーブルを参照して、選択された前記送信出力レベルに対応した前記補正値を用いて無線伝搬特性測定をなすことを特徴とする請求項４記載の無線伝搬特性測定方法。
【請求項６】
受信側の受信入力レベル情報に応じて送信側の送信出力レベルを制御するようにした無線通信システムにおける無線伝搬特性測定システムに使用する送信機であって、
送信出力レベルを示す送信出力レベル情報にその送信時刻情報を付加して受信側へ送信する手段を含むことを特徴とする送信機。
【請求項７】
受信側の受信入力レベル情報に応じて送信側の送信出力レベルを制御するようにした無線通信システムにおける無線伝搬特性測定システムに使用する受信機であって、
受信入力レベルを検出すると共にその検出時刻情報をも検出する手段と、
送信側からら送信された送信出力レベル情報とその送信時刻情報とを検出する手段と、
前記検出時刻情報及び送信時刻情報に基づいて前記受信入力レベルに対応した前記送信出力レベル情報を選択して、無線伝搬特性測定をなす手段と、
を含むことを特徴とする受信機。
【請求項８】
前記無線伝搬特性測定をなす手段は、前記送信出力レベルにそれぞれ対応した補正値が予め格納されたテーブルを有し、選択された前記送信出力レベルに対応した前記補正値を用いて無線伝搬特性測定をなすことを特徴とする請求項７記載の受信機。
【発明の詳細な説明】
【技術分野】
【０００１】
本発明は無線伝搬特性測定システム及びその方法並びにそれを用いた無線通信システム及び送受信機に関し、特に送信側の送信出力レベルを自動制御するＡＴＰＣ（Automatic Transmission Power Control）方式の無線通信システムにおける無線伝搬特性測定方式に関するものである。
【背景技術】
【０００２】
無線通信システムにおける回線品質は空間の無線伝搬特性に依存している。この無線伝搬特性は時間、季節及びその他の要因により変動しているので、回線運用後においても、構築した無線通信システムが回線設計通り動作しているか検証する必要がある。この検証を行うためには、無線通信システム運用中においても、無線伝搬特性を測定することが要求される。
【０００３】
一方、運用中にフェージングや降雨等により、無線区間の回線品質が下がることで通信が切れることを防ぐために、送信出力レベルを自動で制御できるＡＴＰＣ機能をもつシステムがあり、このＡＴＰＣ機能を持つシテスムは、ＡＴＰＣ制御中においても無線伝搬特性を測定する必要がある。従来のＡＴＰＣ制御時に無線伝搬特性を検出する回路について、図２を参照して説明する。
【０００４】
図２を参照すると、従来の無線伝搬特性の測定方式では、送信機１より出力された信号を受信機６で受信し、ＲＳＬ検出部７にて検出されたＲＳＬ（受信レベル）を無線伝搬特性としている。更に、この検出結果をＡＴＰＣ制御部１１に送り、ＡＴＰＣ制御部１１は、受け取った情報から対向局の送信機１の送信出力レベルを制御する送信出力レベル制御情報を生成する。
【０００５】
そして、対向局では、この送信出力レベル制御情報を受信機５で受信して送信制御部４を介して送信機１の送信出力レベルを制御するようになっている。これにより、無線区間の回線品質の劣化に対して、適切な送信出力レベルを保証するようになっている。
【０００６】
このような無線送受信システムが特許文献１に開示されている。
【特許文献１】特開２００２−２１７８４４号公報
【発明の開示】
【発明が解決しようとする課題】
【０００７】
しかしながら、上述した従来の無線伝搬特性の検出方式においては、次のような課題がある。すなわち、無線区間の回線品質が劣化している場合、受信した信号からＡＴＰＣ制御部１１によって送信出力レベルを補正する制御が働き、送信出力レベルは補正されて出力される。このために、受信入力信号からは補正のかかったＲＳＬが検出されることになり、この補正のかかった受信入力レベルからＲＳＬを検出することになって、正確な無線伝搬特性を測定できないという欠点がある。
【０００８】
本発明の目的は、対向装置からの送信出力レベルを情報として受け取り、受信入力信号のＲＳＬと比較することにより、正しく無線伝搬特性の測定を可能とした無線伝搬特性測定システム及びその方法並びにそれを用いた無線通信システム及び送受信機を提供することである。
【課題を解決するための手段】
【０００９】
本発明による無線伝搬特性測定システムは、受信側の受信入力レベル情報に応じて送信側の送信出力レベルを制御するようにした無線通信システムにおける無線伝搬特性測定システムであって、
送信側において、送信出力レベル情報にその送信時刻情報を付加して受信側へ送信する手段と、
受信側において、受信入力レベルを検出すると共にその検出時刻情報をも検出する手段と、前記送信出力レベル情報と前記送信時刻情報とを検出する手段と、前記検出時刻情報及び送信時刻情報に基づいて前記受信入力レベルに対応した前記送信出力レベル情報を選択して、無線伝搬特性測定をなす手段とを含むことを特徴とする。
【００１０】
本発明による無線通信システムは、上記の無線伝搬特性測定システムを用いたことを特徴とする。
【００１１】
本発明による無線伝搬特性測定方法は、受信側の受信入力レベル情報に応じて送信側の送信出力レベルを制御するようにした無線通信システムにおける無線伝搬特性測定方法であって、
送信側において、送信出力レベル情報にその送信時刻情報を付加して受信側へ送信するステップと、
受信側において、受信入力レベルを検出すると共にその検出時刻情報をも検出するステップと、前記送信出力レベル情報と前記送信時刻情報とを検出するステップと、前記検出時刻情報及び送信時刻情報に基づいて前記受信入力レベルに対応した前記送信出力レベル情報を選択して、無線伝搬特性測定をなすステップとを含むことを特徴とする。
【００１２】
本発明による送信機は、受信側の受信入力レベル情報に応じて送信側の送信出力レベルを制御するようにした無線通信システムにおける無線伝搬特性測定システムに使用する送信機であって、送信出力レベルを示す送信出力レベル情報にその送信時刻情報を付加して受信側へ送信する手段を含むことを特徴とする。
【００１３】
本発明による受信機は、受信側の受信入力レベル情報に応じて送信側の送信出力レベルを制御するようにした無線通信システムにおける無線伝搬特性測定システムに使用する受信機であって、受信入力レベルを検出すると共にその検出時刻情報をも検出する手段と、送信側からら送信された送信出力レベル情報とその送信時刻情報とを検出する手段と、前記検出時刻情報及び送信時刻情報に基づいて前記受信入力レベルに対応した前記送信出力レベル情報を選択して、無線伝搬特性測定をなす手段とを含むことを特徴とする。
【００１４】
本発明の作用を述べる。送信側では、送信出力レベル情報に送信時刻情報を付加して受信側に送信する。受信側では、受信入力信号からＲＳＬを検出しその検出時刻情報と併せて無線伝搬特性測定部に送り、且つ受信入力信号から分離した送信側の送信出力レベル情報とその送信時刻情報も同じく無線伝搬特性測定部に送る。ＲＳＬと送信出力レベルには相関関係があるので、無線伝搬特性を考慮した送信出力レベルに対応したＲＳＬの補正情報が無線伝搬特性測定部に予め格納されており、そこから送信出力レベルに対応したＲＳＬの補正値を求めてＲＳＬを補正することにより、無線伝搬特性を測定する。上記動作を一定期間毎に繰り返す。
【００１５】
また、送信側で送信出力を制御してから受信側で制御した結果がＲＳＬに反映されるまでには、一定の遅延時間が発生するので、検出したＲＳＬに対応する送信出力レベル情報は、ＲＳＬ検出時刻から遅延時間分を考慮した時刻のものとする。このように、受信側で無線伝搬特性を測定する際に、送信側での送信出力レベルを考慮することにより、ＡＴＰＣ動作時においても、正確な無線伝搬特性を測定できる。
【発明の効果】
【００１６】
本発明によれば、無線伝搬特性測定にあたり送信機側の送信出力レベルを考慮するこにより、ＡＴＰＣ制御時においても、そのＴＰＣの機能により補正された出力レベル分を考慮して無線伝搬特性を測定できるという効果がある。
【発明を実施するための最良の形態】
【００１７】
以下に、図面を参照しつつ本発明の実施の形態について説明する。図１は本発明の実施の形態の機能ブロック図であり、図２と同等部分は同一符号により示している。図１を参照すると、本発明の一実施例として、マイクロ無線通信装置のＡＴＰＣ制御時の無線伝搬特性測定システムが示されている。
【００１８】
図において、受信機６は、受信入力信号をＲＳＬ検出部７及び送信出力レベル情報分離部９に送る。ＲＳＬ検出部７は、ＲＳＬを検出してＲＳＬ情報を時刻情報付加部８及びＡＴＰＣ制御部１１に送る。ＡＴＰＣ制御部１１は、ＲＳＬ検出部７から受け取ったＲＳＬ情報から対向の送信機に対する送信出力レベル制御情報を生成し、送信機１２から受信機５を経て送信制御部４に送る。
【００１９】
送信制御部４は、受信機５からの情報から送信出力レベル制御信号を生成して送信機１に送る。送信出力レベル検出部３は、送信機１の送信出力レベルを検出して時刻情報付加部２に送る。時刻情報付加部２は、受け取った送信出力レベル情報に送信出力レベル制御時刻情報を付加して送信機１に送る。送信機１は、送信制御部４から受け取った送信出力レベル制御信号に基づいて、送信出力レベルを増減し、対向の受信機６に時刻情報付加部２から受け取った送信出力レベル情報を含む信号を送信する。
【００２０】
時刻情報付加部８は、ＲＳＬ情報にＲＳＬ検出時刻を付加して無線伝搬特性測定部１０に送る。送信出力レベル情報分離部９は、受信機６から受信入力信号を受け取り、送信機１の送信出力レベル情報を受信入力信号から分離し、無線伝搬特性測定部１０に送る。無線伝搬特性測定部１０は、送信出力レベル情報分離部９から送信出力レベル情報を受け取り、時刻情報付加部８からＲＳＬ検出時刻情報が付加されたＲＳＬ情報を受け取る。その際、送信側で送信出力を制御してから制御した結果が受信側のＲＳＬに反映されるまでには一定の遅延時間が発生するために、受け取ったＲＳＬ検出時刻から遅延時間に当たる一定の時間を考慮した時刻情報を有する送信出力レベル情報を選択する。
【００２１】
また、無線伝搬特性測定部１０には、無線伝搬特性を考慮した送信出力レベルに対応したＲＳＬの補正情報が予め格納されているために、そこから送信出力レベルに対応したＲＳＬの補正値を算定し、これによりＲＳＬを補正して、正しい無線伝搬特性を測定するのである。
【００２２】
図１において、受信機６から受信入力信号が送信出力レベル情報分離部９に送られると、送信出力レベル情報分離部９から、対向の送信機１からの送信出力レベル情報が無線伝搬特性測定部１０に送られる。同時に、受信機６からＲＳＬ検出部７に受信入力信号が送られ、ここでＲＳＬが検出されて、ＡＴＰＣ制御部１１と時刻情報付加部８とに送られる。ＡＴＰＣ制御部１１は、ＲＳＬを受け取ると、送信出力レベル制御情報を生成して、送信機１２、受信機５を経由して対向の送信制御部４に送る。
【００２３】
送信制御部４は、受け取った送信出力レベル制御情報から、送信出力レベル制御信号を生成して送信機１に送る、送信機１は、送信出力レベル制御信号に基き送信出力レベルを増減する。一方で、送信出力レベル検出部３は、送信機１での送信出力レベルを検出し、送信出力レベル情報として時刻情報付加部２に送る。送信出力レベル情報は、時刻情報付加部２において、送信出力レベルを検出した時刻情報が付加されて送信機１に送られる。送信機１は、時刻情報付加部２から受け取った送信出力レベル情報を送信出力信号に含めて対向の受信機６へ送る。
【００２４】
一方、ＲＳＬを受け取った時刻情報付加部８は、ＲＳＬ情報にＲＳＬ検出時刻情報を付加して、無線伝搬特性測定部１０に送る。無線伝搬特性測定部１０は、時刻情報付加部８からＲＳＬ検出時刻情報が付加されたＲＳＬ情報を受け取る。その際、送信側で送信出力を制御してから制御した結果が受信側のＲＳＬに反映されるまでには一定の遅延時間が発生するので、受け取ったＲＳＬ検出時刻から遅延時間に当たる一定の時間を考慮した時刻情報を有する送信出力レベル情報を選択する。
【００２５】
また、無線伝搬特性測定部１０には、無線伝搬特性を考慮した送信出力レベルに対応したＲＳＬの補正情報が予め格納されているので、そこから送信出力レベルに対応したＲＳＬの補正値を得て、これによりＲＳＬを補正して正しい無線伝搬特性を測定する。以上の動作を一定時間毎に繰り返すことにより、より正確な測定が可能である。
【００２６】
ここで、無線伝搬特性とは、ある一定の送信出力レベルで送信されたときに、電波伝搬路の状況（障害物や天候など）に影響された受信レベル（ＲＳＬ）の増減量であり、このＲＳＬの増減量を測定する方法の例について以下に述べる。先ず、予め送信出力とそれに対応する受信入力であるＲＳＬを実測し、その中から、基準とする送信出力とＲＳＬとを決める。ここで、基準のＲＳＬからの相対値を補正値とし、送信出力値と対応させてＲＯＭテーブルに格納しておく。
【００２７】
例えば、装置設置場所が安定した無線伝搬環境のときに、自局側から通常Ｔ（０）の出力で信号を送信し、受信側でＲ（０）のレベルで受信しているとする。送信側の出力を順次、Ｔ（１），Ｔ（２），……Ｔ（ｎ）と上げたときに、受信側で、Ｒ（１），Ｒ（２），……Ｒ（ｎ）となることが、事前の測定結果から分かっているとすると、Ｒ（０）との差分がＲＳＬの補正値ｄＲ（１），ｄＲ（２），……，ｄＲ（ｎ）となる。
【００２８】
すなわち、ｄＲ（０）＝０，ｄＲ（１）＝Ｒ（１）−Ｒ（０），ｄＲ（２）＝Ｒ（２）−Ｒ（０），……，ｄＲ（ｎ）＝Ｒ（ｎ）−Ｒ（０）となるので、これら補正値Ｒ（ｉ）（ｉは０〜ｎの整数）を送信出力Ｔ（ｉ）との対応テーブルとして保持しておくのである。
【００２９】
この補正値Ｒ（ｉ）を用いて具体的な無線伝搬特性の算出方法を説明する。無線伝搬環境の変化により、ＲＳＬ＝ａ（ａはＡＴＰＣの影響を取り除いた値とする）となったとすると、このａが、取りも直さず、無線伝搬特性であり、このときの送信出力をＴ（ｎ）、受信側でのＲＳＬをＲＳＬ（ｎ）としたとき、
ａ＝ＲＳＬ（ｎ）−ｄＲ（ｎ）
となるのである。
【００３０】
上述の例では、下り（送信機１から受信機６の方向）の無線伝搬特性の測定について説明したが、上り（送信機１２から受信機５の方向）についても、同様な動作が可能であることは言うまでもない。
【００３１】
以上の処理動作は予めその処理手順をプログラムとしてＲＯＭなどの記録媒体に格納しておき、これをコンピュータにより読取らせて実行するよう構成することができることは明白である。
【図面の簡単な説明】
【００３２】
【図１】本発明の実施の形態の機能ブロック図である。
【図２】従来技術を説明するための機能ブロック図である。
【符号の説明】
【００３３】
１，１２  送信機
２，８  時刻情報付加部
３  送信出力レベル検出部
４  送信制御部
５，６  受信機
７  ＲＳＬ検出部
９  送信出力レベル情報分離部
１０  無線伝搬特性測定部
１１  ＡＴＰＣ制御部
【図１】
2006245835.tif 000003
【図２】
2006245835.tif 000004